(57)【特許請求の範囲】
【請求項１】
下肢支柱を揺動可能に支持する継手板部(8b)が先端位置に形成された一対の支持側板(8a),(8a)を左右に上向きに設けた足底板(8)の上側に、靴体(3)を設けた下肢装具において、該一対の支持側板(8a),(8a)における下端から該継手板部(8b)の下端までの支持板部(8c)は前方側端縁の間隔が後方側端縁の間隔より大であって、且つ該靴体(3)の左右側面に沿った形状に形成され、該継手板部(8b)は踝関節の回動軸に垂直な平面と一致するよう平行に形成されていることを特徴とする歩行用下肢装具。
【請求項２】
前記足底板(8)は、足底板材(7)における踝関節直下部位の左右端位置より斜め後退方向に延設した一対の側板部(7a)を、上向きに屈曲して支持側板(8a)を形成してなるものである、請求項１に記載の歩行用下肢装具。
【請求項３】
下肢支柱を支持する継手板部(8b)が支持板部(8c)の先端に延設された支持側板(8a)を形成するための側板部(7a)の一対を、踝関節直下部位の左右端位置より斜め後退方向に延設した足底板材(7)を用い、該足底板材(7)の上側に固定する靴体(3)の踝関節直下部位の左右外側に沿う前広がり線位置で前記側板部(7a)を上方に折り曲げて、前記支持板部(8c)を整形すると共に前記継手板部(8b)の一対を該踝関節の回動軸に垂直な平面と一致するよう平行に整形した前記支持側板(8a)を備えた足底板(8)を形成し、次いで前記継手板部(8b)の一対に該踝関節の回動軸と同軸のピン孔を穿設し、その後に前記ピン孔に嵌合する結合ピンにより前記支柱を揺動可能に前記継手板部(8b)に結合すると共に、前記靴体(3)を前記足底板(8)の上側に設けることを特徴とする歩行用下肢装具の製造法。
【発明の詳細な説明】
【０００１】
【発明の属する技術分野】
本発明は、脚部麻痺等による歩行困難者の脚部に装着して、歩行を容易にするための歩行用下肢装具に関する。
【０００２】
【従来の技術】
従来から、脚部麻痺や踝関節の機能障害等によって歩行が困難となった患者に対して、歩行の機能を補助し、或いは機能回復を促すために、脚部に装着する下肢装具が用いられている。こうした下肢装具としては、左右に側板部１ａを突設した図５に示すような足底板材１をプレス成形して、図６に示すような鐙状に支持側板２ａを形成した足底板２とし、その上側に足を覆うための靴体３を取り付けると共に、足底板２の下側に靴底体４を設けたものがある。このような従来の下肢装具は、図７に示すように、靴体３の左右両側の踝関節の直下位置で、支持側板２ａを上方に向かって立ち上げ、立ち上がった支持側板２ａの上端部に形成した継手板部２ｂが、該関節の回動軸位置に合致するように形成した後、下肢に結合する下肢カフ５ａを上部に設けた一対の支柱５の、下端に固定した結合部材５ｂと該継手板部２ｂとを、連結ピン６により前後方向に揺動可能に結合してある。
【０００３】
このような下肢装具は、装用者の足の寸法に合わせて製作するものであり、これに用いる足底板は、体重を支えると共に歩行時の衝撃に耐えることが必要である。従って、継手板部の位置や全体の寸法などを含めて種々の寸法を備えた規格品の素材を、強靱な材料を用いて予め多種類形成しておき、多数の規格品素材の中から適当なサイズのものを選び出して、これを装用者に合わせてプレス加工するなどにより、製作されていた。
【０００４】
しかし、規格に合わせて準備された多数の素材から適切なサイズのものを選んでして、装用者に合うように左右の側板部を曲げ加工するには、多種の素材を在庫品として揃えておかなければならない不経済性がある。また左右の継手板部の軸位置にずれがあると、装具に異常な応力が掛かって耐久性を損なう恐れがあるので、プレスによる曲げ加工の精度を高める必要があり、加工には高い熟練度が要求されるという不利もある。そして、耐久性を重視して加工すると、靴体と支持側板との隙間が大きくて無骨な形態になり勝ちであるうえ、左右の支持側板の曲がり方が揃わないなど、見苦しい形状の装具が出来てしまうという問題もあった。
【０００５】
【発明が解決しようとする課題】
そこで本発明は、装用者の足に適合した靴などの履物の外形に沿った支持側板を形成し、且つ踝関節の位置に適合した左右の継手板部を該支持側板の先端位置に設けた、見栄えがよくて耐久性の良好な歩行用下肢装具を、経済的に提供することを目的としたものである。
【０００６】
【課題を解決するための手段】
上記の本発明の目的は、下肢支柱を揺動可能に支持する継手板部が先端位置に形成された一対の支持側板を左右に上向きに設けた足底板の上側に、靴体を設けた下肢装具において、該一対の支持側板における下端から該継手板部の下端までの支持板部は前方側端縁の間隔が後方側端縁の間隔より大であって、且つ該靴体の左右側面に沿った形状に形成され、該継手板部は踝関節の回動軸に垂直な平面と一致するよう平行に形成されていることを要旨とする歩行用下肢装具によって、達成することができる。
【０００７】
そして、このような歩行用下肢装具に用いられる足底板としては、足底板材における踝関節直下部位の左右端位置より斜め後退方向に延設した一対の側板部を、上向きに屈曲して支持側板を形成してなるものが、特に好ましく用いられる。
【０００８】
更に、上記の本発明の歩行用下肢装具は、下肢支柱を支持する継手板部が支持板部の先端に延設された支持側板を形成するための側板部の一対を、踝関節直下部位の左右端位置より斜め後退方向に延設した足底板材を用い、該足底板材の上側に固定する靴体の踝関節直下位置の左右外側に沿う前広がり線位置で前記側板部を上方に折り曲げて前記支持板部を整形すると共に前記継手板部の一対を該踝関節の回動軸に垂直な平面と一致するよう平行に整形した前記支持側板を備えた足底板を形成し、次いで前記継手板部の一対に該踝関節の回動軸と同軸のピン孔を穿設し、その後に前記ピン孔に嵌合する結合ピンにより前記支柱を揺動可能に前記継手板部に結合すると共に、前記靴体を前記足底板の上側に設けることにより、製造することができる。
【０００９】
【発明の実施の形態】
本発明の歩行用下肢装具を、図に基づいて更に詳細に説明するが、本発明の歩行用下肢装具は、支持側板の形状が従来技術による支持側板と異なっているほかは、従来技術による歩行用下肢装具と類似した構造を備えている。すなわち、本発明の歩行用下肢装具を製造するには、図１に示すような足底板材７を使用するのが好適である。この足底板材７は、例えば鋼材などからプレス打ち抜きなどで形成されたもので、踝関節直下部位の左右端に当たる位置から、一対の側板部７ａが左右に向かって斜めに後退する方向に延設してあり、該側板部７ａの先端には、例えば平板状部７ｂが形成されている。
【００１０】
該足底板材７の上側には靴体３を取り付けるものであるが、装用者の踝関節位置に当たる靴体３の外側面は、一般に丸みが付いている。そこで側板部７ａを、該靴体３の左右外側面に沿うように、前方端の間隔が後方端の間隔より広くなるような前広がり線の位置で、例えばプレス加工などにより、上方に向かって折り曲げて成形する。その際、側板部７ａを靴体３の外側面に沿うように、丸みをもつ形状に曲げるようにするのがよい。
【００１１】
上記のように加工すると、左右の側板部７ａの先端に形成されている平板状部７ｂは、一般には平行でなくなる。そこで、一対の平板状部７ｂが踝関節の回動軸に対して垂直な平面となるように、捻じり加工を加えるが、この捻じり加工は上記の折り曲げ加工と同時に、又はそれに続いて実施することが好ましい。こうして加工された一対の平板状部７ｂには、装用者の踝関節の回動軸に合わせて、例えばドリル加工などによりピン孔を穿設し、更に下肢支柱の下端に形成された継手部と結合するに適した形状に加工して、先端部に継手板部８ｂが形成された支持側板８ａを左右両側に備えた、本発明の歩行用下肢装具に用いる、図２に示すような形状の足底板８が得られる。
【００１２】
このようにして形成された足底板８の上側には靴体３を、また下側には足底板８を収容する凹部を設けた靴底体４を、それぞれ取り付けたうえ、これらを一体に結合して、本発明の歩行用下肢装具の足部が組み立てられるが、靴体３としては足部覆いやサンダル様のものであってもよく、単に足部を緊締するだけのものでもよい。また靴底体４も、歩行に支障がないものであれば、特に限定されることなく適宜の形態のものを使用することができる。
【００１３】
上記のように組み立てられた本発明の歩行用下肢装具の足部において、下肢支柱を支持するための一対の支持側板８ａは、支持側板８ａの先端部分に形成された継手板部８ｂが、踝関節の回動軸に垂直な平面と一致し、且つ平行であるように形成されており、また支持側板８ａの下端から継手板部８ｂに至るまでの支持板部８ｃが、前方側端縁の間隔が後方側端縁の間隔より大で、且つ靴体３の左右側面に沿った形状に形成されているものである。
【００１４】
そして、前記の継手板部８ｂには、一対の下肢支柱の下端部分に形成した継手部を結合ピンによって結合し、前後に揺動可能な踝関節継手部を形成して、図３乃至図４に示すような、本発明の歩行用下肢装具が完成するが、この踝関節継手部の構造は特に限定されるものではなく、公知の構造のものを利用しても構わない。また、本発明の歩行用下肢装具を下肢に装着する手段も、例えば下肢に巻き付けて固定するためのカフなどを、下肢支柱の上端部分に取り付けて利用することができるが、特に限定されるものではなく、適宜に公知の構造のものを利用することができる。
【００１５】
【発明の効果】
本発明の歩行用下肢装具は、下肢支柱を支持する継手板部が支持板部の先端に延設された支持側板を形成するための側板部の一対を踝関節直下位置の左右端縁より後退方向に延設した足底板材を用いて、該支持側板における下端から該継手板部の下端までの支持板部は前方側端縁の間隔が後方側端縁の間隔より大であって、且つ靴体の左右側面に沿った形状に形成し、また該継手板部は踝関節の回動軸に垂直な平面と一致するよう平行に形成して、該継手板部の一対に該踝関節の回動軸と同軸のピン孔を穿設したうえ該支柱を揺動可能に該継手板部に結合すると共に、該靴体を前記足底板の上側に設けてなるもので、装用者が希望する形状の靴体に適合して見栄えがよく、しかも装用し易くて耐久性が高いという効果があるほか、下肢装具製造用の足底板材のサイズ別の在庫量を大幅に削減できる利点があって、経済的に歩行用下肢装具を提供できる効果がある。
【図面の簡単な説明】
【図１】本発明の歩行用下肢装具に用いられる足底板材の例の上面図である。
【図２】本発明の歩行用下肢装具に用いられる足底板の例の上面図である。
【図３】本発明の歩行用下肢装具の、踝関節の回動軸に沿った縦断面図である。
【図４】本発明の歩行用下肢装具の背面図である。
【図５】従来技術の歩行用下肢装具に用いられる足底板材の例の上面図である。
【図６】従来技術の歩行用下肢装具の、踝関節の回動軸に沿った縦断面図である。
【図７】従来技術の歩行用下肢装具の外観を示す斜視図である。
【符号の説明】
１      足底板材
１ａ    側板部
２      足底板
３      靴体
４      靴底体
５      支柱
６      連結ピン
７      足底板材
７ａ    側板部
７ｂ    平板状部
８      足底板
８ａ    支持側板
８ｂ    継手板部
８ｃ 支持板部
【図１】
0003841636.tif 000002
【図２】
0003841636.tif 000003
【図３】
0003841636.tif 000004
【図４】
0003841636.tif 000005
【図５】
0003841636.tif 000006
【図６】
0003841636.tif 000007
【図７】
0003841636.tif 000008